(57)【要約】【課題】超薄型表示装置と、熱膨張および熱収縮によって発生する、摩擦音を最小化するための構造を有する、ランプソケットとを含む表示装置を提供する。【解決手段】ランプソケットは、第１筐体部と、第１筐体部に接続してランプのリードに接続する接続端子と、第１筐体部から離隔されて形成された第２筐体部と、第１筐体部と第２筐体部とを接続してランプの長軸方向に伸縮する弾性部と、第２筐体部から延長された固定部とを含む。【選択図】図１
2010251322.tif 000002
【特許請求の範囲】
【請求項１】
第１筐体部と、
前記第１筐体部に接続されランプのリードに接続する接続端子と、
前記第１筐体部から離隔されて形成された第２筐体部と、
前記第１筐体部と前記第２筐体部とを接続し、前記ランプの長軸方向に伸縮する弾性部、および
前記第２筐体部から延長された固定部を含むことを特徴とするランプソケット。
【請求項２】
前記第１筐体部および前記第２筐体部のうち少なくとも一つに前記ランプの長軸方向に切開されて形成されたガイドする溝、および
前記第１筐体部および前記第２筐体部のうちいずれか１つから突出し、前記ガイドする溝に挿入されたガイド部をさらに含むことを特徴とする請求項１に記載のランプソケット。
【請求項３】
光を発生させるランプ、および
第１筐体部、
前記第１筐体部に接続され前記ランプのリードに接続する接続端子、
前記第１筐体部から離隔されて形成された第２筐体部、
前記第１筐体部と前記第２筐体部とを接続し、前記ランプの長軸方向に伸縮する弾性部、および
前記第２筐体部から延長され前記回路基板に固定される固定部を含むランプソケットを含むことを特徴とする表示装置。
【請求項４】
前記ランプソケットが実装される回路基板をさらに含み、前記弾性部は前記回路基板に対して平行方向または垂直方向に折り曲げられて形成されることを特徴とする請求項３に記載の表示装置。
【請求項５】
前記ランプソケットが実装される回路基板、および
前記回路基板と前記ランプソケットとを内部に収納し、床面の一部が湾入して前記回路基板が挿入される基板を挿入する溝が形成された収納容器をさらに含むことを特徴とする請求項３に記載の表示装置。
【請求項６】
前記弾性部は、前記第１筐体部の内側に形成されることを特徴とする請求項３に記載の表示装置。
【請求項７】
前記弾性部は、前記第１筐体部の下部と前記第２筐体部の下部とを接続することを特徴とする請求項３に記載の表示装置。
【請求項８】
前記弾性部は、前記第１筐体部および前記第２筐体部と一体的に形成されることを特徴とする請求項３に記載の表示装置。
【請求項９】
前記第１筐体部および前記第２筐体部のうち少なくとも一つに前記ランプの長軸方向に切開されて形成されたガイドする溝、および
前記第１筐体部および前記第２筐体部のうち一つから突出し、前記ガイドする溝に挿入されたガイド部をさらに含み、
前記ランプの長軸方向を基準にして前記ガイドする溝の前記ランプの長軸方向における幅が前記ガイド部の幅より大きく形成されていることを特徴とする請求項３に記載の表示装置。
【請求項１０】
前記ガイドする溝は、前記第１筐体部に形成された第１のガイドする溝と前記第２筐体部に形成された第２のガイドする溝とを含み、
前記ガイド部は、前記第１筐体部および前記第２筐体部を各々貫通して、
前記ガイド部は、前記第１筐体部または前記第２筐体部が折り曲げられて形成されることを特徴とする請求項９に記載の表示装置。
【請求項１１】
前記第１筐体部と前記接続端子とを接続し、前記接続端子に接続される第１部分と前記第１筐体部に接続される第２部分とを含み、前記第１部分と前記第２部分とは少なくともその一部が重畳する屈折部をさらに含むことを特徴とする請求項３に記載の表示装置。
【発明の詳細な説明】
【技術分野】
【０００１】
本発明は、ランプソケットおよびそれを含む表示装置に関するものであって、より詳細には超薄型表示装置を具現し、熱膨張および熱収縮による摩擦音を最小化するための構造を有するランプソケットおよびそれを含む表示装置に関するものである。
【背景技術】
【０００２】
表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）のうちの一つであって、電極が形成されている２枚の基板とその間に挿入されている液晶層とからなり、電極に電圧を印加して液晶層の液晶分子を再配列させることによって透過する光の量を調節して映像を表示する装置である。
【０００３】
このような表示装置は、それ自体が非発光素子であるため、映像を表示するためには発光素子である光源を含むバックライトアセンブリを含まなければならない。バックライトアセンブリは表示パネルの後面から光を照射する。このようなバックライトアセンブリは光を放出する光源の位置によって直下型とエッジ型とに区分される。直下型は光源を表示パネルの真下に配置する方式であり、エッジ型は光源を側面に配置して導光板を利用して表示パネル全体に光を伝達させる方式である。
【０００４】
表示装置の光源として使用されるランプは熱を発生させ、ランプから発生した熱はランプ自体を膨張させたり各部品を膨張させたりする。また、ランプが消灯されると膨張したランプと各部品とは再び収縮する。このようにランプと各部品とが膨張および収縮を繰り返すことによって、互いに接続している部品の間に摩擦音が発生するという問題が生じていた。
【０００５】
特に、ランプとランプの両端に形成されたリードとは、ランプの長軸方向における膨張率および収縮率が大きいため、ランプとランプソケットとの間に摩擦音が発生するという問題が発生していた。そこでランプのリードとランプソケットとの間の摩擦音を減少させる構造が必要とされた。
【先行技術文献】
【特許文献】
【０００６】
【特許文献１】大韓民国特許公開２００８−００５５０９２号公報
【発明の概要】
【発明が解決しようとする課題】
【０００７】
本発明が解決しようとする課題は、熱膨張および熱収縮による摩擦音を最小化するための構造を有するランプソケットを提供することである。
【０００８】
本発明が解決しようとする他の技術的課題は、熱膨張および熱収縮による摩擦音を最小化するための構造を有するランプソケットを含む表示装置を提供することである。
【０００９】
本発明の技術的課題は、上記で言及した技術的課題に制限されず、言及されていない他の技術的課題は、以下の記載から当業者に明確に理解されるであろう。
【課題を解決するための手段】
【００１０】
前記技術的課題を達成するための本発明の一実施形態におけるランプソケットは、第１筐体部と、第１筐体部に接続されランプのリードに接続する接続端子と、第１筐体部から離隔されて形成された第２筐体部と、第１筐体部と第２筐体部とに接続し、ランプの長軸方向に伸縮する弾性部と、第２筐体部から延長された固定部とを含む。
【００１１】
他の技術的課題を達成するための本発明の一実施形態における表示装置は、光を発生させるランプ、回路基板、及び回路基板に実装され、第１筐体部と、第１筐体部に接続されてランプのリードに接続する接続端子と、第１筐体部から離隔されて形成された第２筐体部と、第１筐体部と第２筐体部とを接続し、ランプの長軸方向に伸縮する弾性部と、第２筐体部から延長され回路基板に固定される固定部とを含むランプソケットを含む。
【００１２】
その他の実施形態の具体的な内容は、以下の詳細な説明および図面に記載されている。
【図面の簡単な説明】
【００１３】
【図１】本発明の第１実施形態におけるランプソケットの斜視図である。
【図２】図１に示すランプソケットの底面斜視図である。
【図３】図１に示すランプソケットの部分切開斜視図である。
【図４】図１に示すランプソケットをＩＶ−ＩＶ’線に沿って切断した断面図である。
【図５Ａ】図１に示すランプソケットの動作を説明するための概略側断面図である。
【図５Ｂ】図１に示すランプソケットの動作を説明するための概略底面図である。
【図６Ａ】図１に示すランプソケットの動作を説明するための概略側断面図である。
【図６Ｂ】図１に示すランプソケットの動作を説明するための概略底面図である。
【図７】本発明の第２実施形態によるランプソケットの斜視図である。
【図８】図７に示すランプソケットをＶＩＩＩ−ＶＩＩＩ’線に沿って切断した断面図である。
【図９Ａ】図７に示すランプソケットの動作を説明するための概略側断面図である。
【図９Ｂ】図７に示すランプソケットの動作を説明するための概略側断面図である。
【図１０】本発明の一実施形態による表示装置の分解斜視図である。
【図１１】図１０に示す表示装置の断面図である。
【発明を実施するための形態】
【００１４】
本発明の利点、特徴、およびそれらを実現する方法は、添付される図面と共に後述する実施形態の詳細な説明を参照することによって明確になるであろう。しかし、本発明は、以下に開示される実施形態に限定されるものではなく、異なる多様な形態で実現することができ、本実施形態は、単に本発明の開示が完全になるように、本発明が属する技術分野において通常の知識を有する者に対し発明の範囲を完全に開示するために提供するものであり、本発明は特許請求の範囲の記載によってのみ定義される。明細書全体において同一の参照符号は同一の構成要素を指称する。
【００１５】
空間的に相対的な位置関係を表す用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示されているように一つの素子または構成要素と異なる素子または構成要素との相対的な位置関係を分かりやすく記述するために使用される。これらの空間的に相対的な位置関係を表す用語は、図面に示されている方向に加えて使用時または動作時における素子の異なる方向を含む用語として理解されなければならない。
【００１６】
以下、図１から図４を参照して本発明の第１実施形態におけるランプソケットについて詳細に説明する。図１は、本発明の第１実施形態におけるランプソケットの斜視図である。図２は、図１に示すランプソケットの底面斜視図である。図３は、図１に示すランプソケットの部分切開斜視図である。図４は、図１に示すランプソケットをＩＶ−ＩＶ’線に沿って切断した断面図である。
【００１７】
まず、図１および図２を参照すると、ランプソケット１００は、ランプ（図１１に示す符号７０参照）を固定し、ランプ７０に電源を供給する役割をするものであって、第１筐体部１４０、第１接続端子１１０ａ、第２接続端子１１０ｂ、第１屈折部１３０ａ、第２屈折部１３０ｂ、支持板１２０、第２筐体部１５０、弾性部１８０、ガイド部（１７０ａ、１７０ｂ）、および固定部（１６０ａ、１６０ｂ）を含む。このようなランプソケット１００は、例えば金属と導電性弾性重合体（ｃｏｎｄｕｃｔｉｖｅ  ｅｌａｓｔｏｍｅｒ）のうち少なくとも一つを含む導電性物質で形成されてもよい。導電性弾性重合体とは、伝導性を有しながら弾性変形する特性を有する重合体をいい、例えばゴムのような弾性体内部に導電性物質の金属のかけらを含ませて形成してもよい。このような導電性弾性重合体は、弾性部１８０のみならず、ランプソケット１００の全体またはランプソケット１００の一部の構成要素を構成する材料であってもよい。
【００１８】
ランプソケット１００は、第１筐体部１４０、第１接続端子１１０ａ、第２接続端子１１０ｂ、第１屈折部１３０ａ、第２屈折部１３０ｂ、支持板１２０、第２筐体部１５０、弾性部１８０、ガイド部（１７０ａ、１７０ｂ）および固定部（１６０ａ、１６０ｂ）を一体的に形成するものであってもよい。すなわち、これらの構成要素は一つの金属板材を板金加工して形成するものであってもよい。
【００１９】
第１接続端子１１０ａと第２接続端子１１０ｂとは、ランプ７０の一側に設置されたリード７１を固定し、ランプ７０に電源を供給する。第１接続端子１１０ａと第２接続端子１１０ｂとは、ランプ７０のリード７１の両側から圧力を加えてランプ７０のリード７１を固定する。このような第１接続端子１１０ａと第２接続端子１１０ｂとは、第１筐体部１４０から延長して形成され、第１筐体部１４０と第１接続端子１１０ａおよび第２接続端子１１０ｂとの間には、各々第１屈折部１３０ａと第２屈折部１３０ｂが形成される。
【００２０】
第１屈折部１３０ａおよび第２屈折部１３０ｂに各々接続された第１接続端子１１０ａおよび第２接続端子１１０ｂは、ピンセットのようにランプ７０のリード７１をはさんで固定するものであってもよい。したがって、ランプ７０はランプソケット１００に簡単に固定したり簡単に分離したりすることができる。第１屈折部１３０ａおよび第２屈折部１３０ｂは、第１筐体部１４０に各々接続され、第１筐体部１４０と一体的に形成されている。すなわち、第１屈折部１３０ａおよび第２屈折部１３０ｂは、第１筐体部１４０の一端部を折り曲げて形成するものであってもよい。
【００２１】
一方、第１筐体部１４０は、第２筐体部１５０と共にランプソケット１００の基本的な骨格を維持する。第１筐体部１４０は、第２筐体部１５０の内側に配置され、第１筐体部１４０と第２筐体部１５０とは２重構造を形成する。
【００２２】
第１接続端子１１０ａ、第２接続端子１１０ｂおよび支持板１２０は、第１筐体部１４０に接続される。
【００２３】
第１筐体部１４０は、四つの側壁に囲まれた内側の空間を有するボックス形態で形成されてもよい。第１筐体部１４０は、一つの金属板材を折り曲げて形成するものであってもよく、第１筐体部１４０の上側には支持板１２０、第１接続端子１１０ａおよび第２接続端子１１０ｂが延長されており、第１筐体部１４０の下側には第１接続部１４１を通じて弾性部１８０が延長されている。弾性部１８０の両端は、第１接続部１４１および第２接続部１５１を通じて第１筐体部１４０および第２筐体部１５０に接続する。
【００２４】
第１屈折部１３０ａおよび第２屈折部１３０ｂは、第１接続端子１１０ａおよび第２接続端子１１０ｂに対して各々十分な弾性力を伝達する。具体的には、第１接続端子１１０ａと第２接続端子１１０ｂとは、ランプ７０のリード７１を固定するために十分な弾性力を有しなければならない。このとき、第１接続端子１１０ａおよび第２接続端子１１０ｂが十分な弾性力を有していないと、ランプ７０のリード７１の挿入および分離が容易ではないだけではなく、ランプソケット１００からランプ７０が離脱しやすい。
【００２５】
第１接続端子１１０ａと第２接続端子１１０ｂとが十分な弾性力を有するためには、第１接続端子１１０ａおよび第２接続端子１１０ｂが十分に弾性力を有する物質から形成されるか、第１接続端子１１０ａおよび第２接続端子１１０ｂの形状を適切に形成しなければならない。
【００２６】
第１接続端子１１０ａおよび第２接続端子１１０ｂを形成するための材料として金属性物質を使用してもよい。このような第１接続端子１１０ａおよび第２接続端子１１０ｂを形成するための物質の変更には実質的に限界があり、適切な剛性と弾性力とを共に維持できる形状で第１接続端子１１０ａおよび第２接続端子１１０ｂを形成することが好ましい。このとき、第１屈折部１３０ａと第２屈折部１３０ｂとは、第１接続端子１１０ａおよび第２接続端子１１０ｂに適切な剛性と弾性力を伝達するように形成される。
【００２７】
表示装置（図１１の符号１参照）は、ランプソケット１００の高さを最小化することにより超スリム型に形成されてもよい。しかしながら、ランプソケット１００の高さを最小化するために、第１接続端子１１０ａおよび第２接続端子１１０ｂの長さを短くすると、第１接続端子１１０ａおよび第２接続端子１１０ｂの弾性力が減るという問題が発生し得る。したがって、このような問題を解決するために、第１接続端子１１０ａおよび第２接続端子１１０ｂに少なくとも２回折り曲げられて形成された第１屈折部１３０ａおよび第２屈折部１３０ｂが各々形成される。
【００２８】
第１屈折部１３０ａおよび第２屈折部１３０ｂは、断面形状が「Ｓ」字形態となるように折り曲げられてもよい。このように、第１屈折部１３０ａおよび第２屈折部１３０ｂを「Ｓ」字形態に折り曲げることによって、ランプソケット１００の高さを減らすことができ、第１接続端子１１０ａおよび第２接続端子１１０ｂに十分な弾性力を伝達することができる。このとき、ランプソケット１００の高さを最小化するため、第１屈折部１３０ａおよび第２屈折部１３０ｂを第１筐体部１４０の内部に形成してもよい。実質的に、第１屈折部１３０ａおよび第２屈折部１３０ｂが第１筐体部１４０の上側から延長される場合、第１屈折部１３０ａおよび第２屈折部１３０ｂの少なくとも一端部が、第１筐体部１４０の内部に形成されてもよい。
【００２９】
第１屈折部１３０ａおよび第２屈折部１３０ｂは、第１筐体部１４０の一端部を「Ｓ」字形態に折り曲げて形成されてもよく、第１屈折部１３０ａおよび第２屈折部１３０ｂは実質的にスプリングとしての役割をする。
【００３０】
第１屈折部１３０ａおよび第２屈折部１３０ｂは、第１接続端子１１０ａおよび第２接続端子１１０ｂに接続される第１部分（１３１ａ、１３１ｂ）と、前記第１筐体部１４０に接続される第２部分（１３２ａ、１３２ｂ）とを含む。このとき、第１部分（１３１ａ、１３１ｂ）と第２部分（１３２ａ、１３２ｂ）とは少なくともその一部が互いに重なるように折り曲げられる。
【００３１】
第１筐体部１４０の前面には支持板１２０が形成されている。支持板１２０は、第１筐体部１４０の正面に形成されて第１筐体部１４０の上部に向かって延長されている。このような支持板１２０は、プレート形状に形成されてランプソケット１００の骨格を維持し、ランプ７０のリード７１が動くことを防止する役割をする。具体的に説明すれば、支持板１２０には上部に開口したリード挿入ホール１２５が形成されている。
【００３２】
具体的には、支持板１２０は、第１接続端子１１０ａおよび第２接続端子１１０ｂの間に固定されたランプ７０のリード７１が下部に脱落することを防止する。したがって、ランプ７０のリード７１は、リード挿入ホール１２５に挿入され、第１接続端子１１０ａおよび第２接続端子１１０ｂによって固定される。一方、リード挿入ホール１２５は、支持板１２０の上部に「Ｕ」字形状のホールとして形成されるものであってもよい。
【００３３】
ランプソケット１００は、ランプ７０の端子が上方に離脱することを防止する第１ストッパーエレメント１１５ａおよび第２ストッパーエレメント１１５ｂを含む。第１ストッパーエレメント１１５ａおよび第２ストッパーエレメント１１５ｂは、第１接続端子１１０ａおよび第２接続端子１１０ｂの一側に形成されている。第１ストッパーエレメント１１５ａは第１接続端子１１０ａの一側に形成され、第２接続端子１１０ｂに向かって突出する。一方、第２ストッパーエレメント１１５ｂは第２接続端子１１０ｂの一側に形成され、第１接続端子１１０ａに向かって突出する。
【００３４】
第１ストッパーエレメント１１５ａおよび第２ストッパーエレメント１１５ｂは、各々第１接続端子１１０ａおよび第２接続端子１１０ｂの一端部が折り曲げられて形成されたものであってもよい。したがって、第１接続端子１１０ａおよび第２接続端子１１０ｂの間に介在するランプ７０のリード７１は、第１ストッパーエレメント１１５ａおよび第２ストッパーエレメント１１５ｂの下部に配置される。このような第１ストッパーエレメント１１５ａおよび第２ストッパーエレメント１１５ｂは、ランプ７０のリード７１が上方に離脱することを防止する。
【００３５】
第２筐体部１５０は、第１筐体部１４０と共にランプソケット１００の骨格を維持しながら、第１筐体部１４０を囲む形態に形成されるものであってもよい。第１筐体部１４０と第２筐体部１５０とは、弾性部１８０に接続されており、第１筐体部１４０と第２筐体部１５０との相対的な位置関係が変わってもよい。すなわち、第２筐体部１５０が固定されていると仮定すれば、第１筐体部１４０は弾性部１８０が弾性変形する範囲内で動くものであってもよい。
【００３６】
第２筐体部１５０は、ランプソケット１００を回路基板１１に固定する役割を果たし、第１筐体部１４０はランプ７０を固定する役割を果たす。第１筐体部１４０と第２筐体部１５０とを接続する弾性部１８０により、ランプ７０は回路基板１１に可動するように固定されてもよい。
【００３７】
第２筐体部１５０は、一つの金属板材を利用して第１筐体部１４０および弾性部１８０と共に一体的に形成されてもよい。第２筐体部１５０は、ランプソケット１００が回路基板１１にしっかり固定されるように第１筐体部１４０の外面に沿って形成されてもよい。
【００３８】
固定部（１６０ａ、１６０ｂ）は、第２筐体部１５０を支持し、ランプソケット１００を固定する。このような固定部（１６０ａ、１６０ｂ）は、第２筐体部１５０の下側に向かって延長され、第２筐体部１５０の外側に折り曲げられる。少なくとも一つの固定部（１６０ａ、１６０ｂ）は、第２筐体部１５０の下部に形成されてもよく、固定部（１６０ａ、１６０ｂ）が第２筐体部１５０の両側にそれぞれ形成されてもよい。このような固定部（１６０ａ、１６０ｂ）は、第２筐体部１５０からランプ７０の長軸方向に対して垂直の方向に延長されて形成されてもよい。
【００３９】
一方、固定部（１６０ａ、１６０ｂ）は、第２筐体部１５０と一体的に形成され、外部電源が印加される端子であってもよい。このような固定部（１６０ａ、１６０ｂ）は、表面実装技術（ｓｕｒｆａｃｅ  ｍｏｕｎｔ  ｔｅｃｈｎｏｌｏｇｙ：ＳＭＴ）によって第２筐体部１５０に付着されるものであってもよい。
【００４０】
弾性部１８０は、第１筐体部１４０と第２筐体部１５０とを接続し、第１筐体部１４０または第２筐体部１５０のうちいずれか一つから外力が加えられると収縮して変形するような弾性力を有している。このような弾性部１８０は、ランプ７０が熱によって膨張する場合、ランプ７０のリード７１が動く余裕を与える。
【００４１】
ランプ７０に電圧が印加されると、ランプ７０は光と共に熱を発生させ、ランプ７０は膨張する。特に、ランプ７０はランプ７０の長軸方向に対する膨脹率が高い。したがって、ランプ７０が加熱されると、ランプ７０の長さが長くなることによってランプ７０の両端に固定されたランプソケット１００とランプ７０との間に摩擦が発生する。このような摩擦によって振動と騒音とが生じる。
【００４２】
ランプ７０のリード７１とランプソケット１００との間の摩擦を減らすために、ランプ７０が固定される第１筐体部１４０は、ランプ７０の膨張方向に第１筐体部１４０が動くことができる構造で形成される。前述したように、ランプ７０を固定する第１筐体部１４０と回路基板１１に固定される第２筐体部１５０との間に弾性部１８０を形成して、第１筐体部１４０と第２筐体部１５０とを固定すると同時に、第１筐体部１４０と第２筐体部１５０とに一定以上の力が伝達されると弾性部１８０が過剰な力を吸収する。
【００４３】
弾性部１８０は、ランプ７０の膨張と収縮とによる力を効果的に吸収するためにランプ７０の長軸方向に伸縮するように形成されてもよい。例えば、弾性部１８０は曲がりくねった構造（ｓｅｒｐｅｎｔｉｎｅ  ｃｏｎｆｉｇｕｒａｔｉｏｎ）で形成されてもよい。ここで、曲がりくねった構造とは、実質的に正弦波の形状を有し、部材が一定の方向に反復してスプリングのような構造をなすことをいう。ただし、弾性部１８０の形状を曲がりくねった構造に限定するものではなく、弾性部１８０の形状は弾性を有するように形成された多様な形状であってもよい。
【００４４】
また、弾性部１８０はスプリング構造に限定されるものではなく、導電性を有する別の部材が挿入されてもよい。
【００４５】
弾性部１８０は、第１筐体部１４０と第２筐体部１５０の下部とを接続するものであってもよい。しかし、ランプソケット１００の設計形状によって弾性部１８０は多様な位置に形成されてもよい。
【００４６】
一方、第２筐体部１５０は、第１筐体部１４０の外側を囲む形態に限定されるものではなく、第１筐体部１４０が第２筐体部１５０を囲む形態で形成されたり、第１筐体部１４０と第２筐体部１５０とが互いに並列的に配置されたりするものであってもよい。
【００４７】
本発明の第１実施形態のように、第２筐体部１５０が第１筐体部１４０を囲む形態で形成される構造では、第１筐体部１４０の内部に弾性部１８０を形成してもよい。
【００４８】
図３および図４を参照すると、第１筐体部１４０と第２筐体部１５０とのランプ７０の長軸方向に対する相対的な動きを円滑にするために、第１筐体部１４０と第２筐体部１５０との間にガイド構造を形成してもよい。ガイド構造は、第１筐体部１４０と第２筐体部１５０とがランプ７０の長軸方向には動くが、ランプ７０の直径方向には動かないようにガイドする役割を果たす。このようなガイド構造は、ガイド部（１７０ａ、１７０ｂ）、第１のガイドする溝１４５ａ、１４５ｂ）および第２のガイドする溝（１５５ａ、１５５ｂ）を含む。
【００４９】
第１筐体部１４０と第２筐体部１５０との側面には、ランプ７０の長軸方向に切開された第１のガイドする溝（１４５ａ、１４５ｂ）と第２のガイドする溝（１５５ａ、１５５ｂ）とが各々形成される。第１のガイドする溝（１４５ａ、１４５ｂ）と第２のガイドする溝（１５５ａ、１５５ｂ）とは互いに対応するように形成されてもよく、ランプ７０の長軸方向に伸長して形成されてもよい。
【００５０】
ガイド部（１７０ａ、１７０ｂ）は、第２筐体部１５０の一端部が延長され第２のガイドする溝（１５５ａ、１５５ｂ）と第１のガイドする溝（１４５ａ、１４５ｂ）とを各々貫通して形成されてもよい。ランプ７０の長軸方向を基準とすると、第１のガイドする溝（１４５ａ、１４５ｂ）および第２のガイドする溝（１５５ａ、１５５ｂ）のランプ７０の長軸方向に対する幅は、ガイド部（１７０ａ、１７０ｂ）の幅より長く形成されてもよい。
【００５１】
ガイド部（１７０ａ、１７０ｂ）、第１のガイドする溝（１４５ａ、１４５ｂ）および第２のガイドする溝（１５５ａ、１５５ｂ）は、第１筐体部１４０と第２筐体部１５０とに過度な外力が加えられたり、ランプ７０の長軸方向以外の方向に第１筐体部１４０と第２筐体部１５０とが変形されたりすることを防止する。
【００５２】
ガイド部（１７０ａ、１７０ｂ）、第１のガイドする溝（１４５ａ、１４５ｂ）および第２のガイドする溝（１５５ａ、１５５ｂ）は、それぞれランプ７０の両側に形成されてもよい。
【００５３】
本発明の第１実施形態におけるランプソケット１００では、ガイド部（１７０ａ、１７０ｂ）が第２筐体部１５０の一端部から延長され、第１のガイドする溝（１４５ａ、１４５ｂ）と第２のガイドする溝（１５５ａ、１５５ｂ）とを貫く構造について説明した。しかし、本発明のランプソケット１００はこれに限定されるものではなく、ガイド部は第１筐体部１４０および第２筐体部１５０のうちいずれか一つから突出されるものであってもよく、ガイドする溝は第１筐体部１４０および第２筐体部１５０のうち少なくとも一つに形成されるものであってもよい。
【００５４】
以下、図５Ａから図６Ｂを参照して本発明の第１実施形態におけるランプソケットの動作過程を説明する。図５Ａおよび図６Ａは、図１に示すランプソケットの動作を説明するための概略側断面図である。図５Ｂおよび図６Ｂは、図１に示すランプソケットの動作を説明するための概略底面図である。
【００５５】
まず図５Ａおよび図５Ｂは、ランプ７０が本来のサイズを維持している場合のランプソケット１００の形状を示すものである。
【００５６】
ランプ７０のリード７１は、ランプソケット１００の接続端子１１０に固定される。このとき、接続端子１１０に接続された第１筐体部１４０は、第２筐体部１５０と一定の間隔（Ｗ１）を維持する。
【００５７】
第１筐体部１４０と第２筐体部１５０とを接続する弾性部１８０は、外力が加えられない状態では、弾性部１８０の本来の形状を維持する。
【００５８】
次いで、図６Ａおよび図６Ｂは、ランプ７０が熱によって膨張してランプ７０の長軸方向に膨張した状態を示すものである。
【００５９】
ランプ７０がランプ７０の長軸方向に膨張すると、ランプ７０のリード７１が固定されている接続端子１１０と第１筐体部１４０とに外力が作用する。第１筐体部１４０にランプ７０の長軸方向における外力が伝達され、第１筐体部１４０と第２筐体部１５０との間に接続された弾性部１８０にランプ７０の膨張による外力が伝達される。
【００６０】
このとき、第２筐体部１５０は回路基板１１に固定されており、ランプ７０から発生する外力は第１筐体部１４０と第２筐体部１５０との間の弾性部１８０で吸収される。
【００６１】
外力が加えられると、弾性部１８０は、ランプ７０の長軸方向に収縮し、ランプ７０の熱膨張による外力を吸収する。このような弾性部１８０は曲がりくねった構造で形成され、ランプ７０の長軸方向における弾性部１８０の長さが減少する。弾性部１８０は、全体的な長さと厚さまたは屈折部分の数などを調節して必要な弾性を有するように形成してもよい。
【００６２】
弾性部１８０が収縮することにより、第１筐体部１４０と第２筐体部１５０との間の相対的な間隔（Ｗ２）は減少する。ランプ７０から発生する外力と弾性部１８０の弾性力などを考慮して弾性部１８０を設計することによって、第１筐体部１４０の移動量が適切に制御されてもよい。
【００６３】
以下、図７および図８を参照して本発明の第２実施形態によるランプソケットについて詳細に説明する。図７は、本発明の第２実施形態におけるランプソケットの斜視図である。図８は、図７に示すランプソケットをＶＩＩＩ−ＶＩＩＩ’線に沿って切断した断面図である。説明の便宜上、前記第１実施形態におけるランプソケットと同一の構成要素については同一の符号を使用し、その説明は省略する。
【００６４】
本発明の第２実施形態におけるランプソケット２００は、第１筐体部１４０と第２筐体部１５０との間に形成された弾性部２８０が垂直方向に折り曲げられて形成される。
【００６５】
ランプソケット２００は、第１筐体部１４０、第１接続端子１１０ａ、第２接続端子１１０ｂ、第１屈折部１３０ａ、第２屈折部１３０ｂ、支持板１２０、第２筐体部１５０、弾性部２８０、ガイド部（１７０ａ、１７０ｂ）、および固定部（１６０ａ、１６０ｂ）を含む。
【００６６】
本発明の第２実施形態におけるランプソケット２００は、弾性部２８０を除いた他の構成要素は前記第１実施形態で説明したランプソケット２００と実質的に同一であるため説明を省略する。
【００６７】
弾性部２８０は、第１筐体部１４０と第２筐体部１５０とを接続し、第１筐体部１４０と第２筐体部１５０との間に作用する外力を吸収する。第１筐体部１４０と第２筐体部１５０とに一定以上の外力が作用すると、弾性部２８０が外力を吸収するため第１筐体部１４０と第２筐体部１５０とは摩擦音を発生させずに動く。
【００６８】
弾性部２８０はその一端部を第１筐体部１４０に接続して他端部を第２筐体部１５０に接続するものであってもよい。第２筐体部１５０が第１筐体部１４０を囲む構造において、弾性部２８０は第１筐体部１４０の内部に形成されてもよい。このような弾性部２８０は曲がりくねった構造で形成されてもよく、屈折方向は垂直方向とするものであってもよい。すなわち、弾性部２８０は垂直方向に屈曲するように形成される。例えば、弾性部２８０の屈曲面が正弦曲線（ｓｉｎｕｓｏｉｄ）形状であれば、山（ｃｒｅｓｔ）と谷（ｔｒｏｕｇｈ）とが反復された形状であってもよい。
【００６９】
弾性部２８０は全体的な長さや幅または厚さによって弾性力を調節することができるものであってもよい。弾性部２８０を垂直方向に屈曲するように形成すると、弾性部２８０の幅と長さを調節して弾性力を調節することが容易である。
【００７０】
弾性部２８０が第１筐体部１４０と第２筐体部１５０の下部とを接続するものについて図示したが、これに限定されるものではなく、本発明の弾性部２８０は、第１筐体部１４０と第２筐体部１５０との間に加えられる弾性力を吸収できる構造で形成されていれば、第１筐体部１４０又は第２筐体部１５０の両側部はもちろん、他のいかなる部分に形成されても構わない。
【００７１】
以下、図９Ａおよび図９Ｂを参照して本発明の第２実施形態におけるランプソケット２００の作動過程を説明する。図９Ａおよび図９Ｂは、図７に示すランプソケットの動作を説明するための概略的な側断面図である。
【００７２】
まず、図９Ａはランプ７０が本来のサイズを維持している場合のランプソケット２００の形状を示すものである。
【００７３】
ランプ７０のリード７１は、ランプソケット２００の接続端子１１０に固定される。このとき、接続端子１１０に接続された第１筐体部１４０は、第２筐体部１５０と一定の間隔（Ｗ３）を維持する。
【００７４】
第１筐体部１４０と第２筐体部１５０とを接続する弾性部２８０は、外力が加えられない状態では、弾性部２８０の本来の形状を維持する。
【００７５】
次に、図９Ｂはランプ７０が熱によって膨張してランプ７０の長軸方向に膨張した状態を示すものである。ランプ７０がランプ７０の長軸方向に膨張すると、ランプ７０のリード７１が固定されている接続端子１１０と第１筐体部１４０とに外力が作用する。第１筐体部１４０にランプ７０の長軸方向における外力が伝達され、第１筐体部１４０と第２筐体部１５０とに接続された弾性部２８０にランプ７０の膨張による外力が伝達される。
【００７６】
このとき、第２筐体部１５０は回路基板１１に固定されており、ランプ７０から発生する外力は第１筐体部１４０と第２筐体部１５０との間の弾性部２８０で吸収される。弾性部２８０は、ランプ７０の長軸方向に主に収縮して第１筐体部１４０と第２筐体部１５０との間隔（Ｗ４）を減少させる。
【００７７】
以下、図１０および図１１を参照して本発明の一実施形態における表示装置について詳細に説明する。図１０は、本発明の一実施形態における表示装置の分解斜視図である。図１１は、図１０に示す表示装置の断面図である。
【００７８】
本発明の一実施形態における表示装置１は、表示パネル３０、上部収納容器２０、第１フレーム４１、光学シート５０、拡散板６０、第２フレーム４２、ランプ７０、バランスボード（１０ａ、１０ｂ）、反射シート８０および下部収納容器９０を含む。
【００７９】
表示パネル３０は、ゲートライン（図示せず）およびデータライン（図示せず）と薄膜トランジスタアレイ、画素電極などを含む下部表示板３１と、ブラックマトリックス（ｂｌａｃｋ  ｍａｔｒｉｘ）、共通電極などを含み、下部表示板３１に対向するように配置された上部表示板３２とを含む。このような表示パネル３０は映像情報を表示する。
【００８０】
上部収納容器２０は、表示装置１の外観を形成し、上部収納容器２０の内部に表示パネル３０を収納する空間が形成されている。このような上部収納容器２０の中央部には表示パネル３０を外部に露出させる開放窓が形成されている。
【００８１】
上部収納容器２０は下部収納容器９０に結合される。上部収納容器２０と下部収納容器９０との間には、必要に応じて表示パネル３０および光学シート５０をそれぞれ収納する第１フレーム４１および第２フレーム４２が介在してもよい。
【００８２】
光学シート５０は、拡散板６０から伝達される光を拡散して集光する役割を果たすものであって、拡散板６０の上部に配置され上部収納容器２０および下部収納容器９０の内部に収納される。このような光学シート５０は第１プリズムシート、第２プリズムシート、保護シートなどを含む。
【００８３】
第１および第２プリズムシートは、拡散板６０を通過した光を屈折させて低い角度で入射する光を正面に集中させて有効視野角の範囲における液晶表示装置の明るさを向上させる役割を果たす。
【００８４】
第１および第２プリズムシートの上に形成される保護シートは、プリズムシートの表面を保護する役割を果たすだけではなく、光の分布を均一にするために光を拡散させる役割を果たす。このような光学シート５０の構成は前記の例に限定されず、表示装置１の仕様に従って多様に変更されるものであってもよい。
【００８５】
拡散板６０は、ランプから出た光を各方向に拡散させる役割を果たすものであって、ランプ７０の形状に沿って明るい部分で現れる輝線が表示装置１の前面から見えないようにする。
【００８６】
ランプ７０としては冷陰極線蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極線蛍光ランプ（Ｈｏｔ  Ｃａｔｈｏｄｅ  Ｆｌｕｏｒｅｓｃｅｎｔ  Ｌａｍｐ：ＨＣＦＬ）などを使用してもよい。ランプ７０として熱陰極線蛍光ランプ（ＨＣＦＬ）を使用する場合、ランプの両端に２個ずつの端子が含まれる。このような端子はランプソケット１００に挿入されて電源の供給を受ける。
【００８７】
一方、ランプソケット１００は、回路基板１１に実装されてバランスボード（１０ａ、１０ｂ）を構成する。このようなバランスボード（１０ａ、１０ｂ）は、下部収納容器９０の床面の一部が湾入して形成された基板を挿入する溝（９１ａ、９１ｂ）に挿入される。このとき、バランスボード（１０ａ、１０ｂ）と下部収納容器９０との間には絶縁パッド（図示せず）が介在してもよい。
【００８８】
バランスボード（１０ａ、１０ｂ）はインバータ（図示せず）から駆動電圧の印加を受けて各ランプ７０に均一な駆動電流を提供する。このようなバランスボード（１０ａ、１０ｂ）は、ランプ７０のリード７１に接続される多数のランプソケット１００を含む。バランスボード（１０ａ、１０ｂ）は各ランプ７０に均一な駆動電流を提供するために、バランスコイルまたはキャパシタを含むものであってもよい。バランスボード（１０ａ、１０ｂ）に印加される駆動電圧は、バランスコイルまたはキャパシタを通じてランプ７０に提供される。
【００８９】
本明細書ではキャパシタを含むバランスボード（１０ａ、１０ｂ）について説明するが、本発明はこれに限定されるものではなく、バランスコイルを含むバランスボードにも適用される。
【００９０】
バランスボード（１０ａ、１０ｂ）は、それぞれ回路基板１１、ランプソケット１００およびキャパシタ１２を含む。回路基板１１は絶縁体で形成され、表面にランプソケット１００が実装される。ランプソケット１００は回路基板１１に表面実装技術（ｓｕｒｆａｃｅ  ｍｏｕｎｔ  ｔｅｃｈｎｏｌｏｇｙ）によって付着されるものであってもよい。具体的には、ランプソケット１００の固定部（１６０ａ、１６０ｂ）が回路基板１１に表面実装技術によって固定される。
【００９１】
固定部（１６０ａ、１６０ｂ）は、回路基板１１の表面にフロアディップ（ｆｌｏｏｒ  ｄｉｐ）法またはフロアソルダー（ｆｌｏｏｒ  ｓｏｌｄｅｒ）法などを利用して付着してもよい。このように表面実装技術を利用した機器によってランプソケット１００を回路基板１１に付着させてもよい。
【００９２】
一方、回路基板１１にはキャパシタ１２が実装される。キャパシタ１２は各ランプソケット１００に均一な駆動電流を印加し、キャパシタ１２の一端子はランプソケット１００に接続され、他端子は電源に接続される。キャパシタ１２は各ランプソケット１００に一つずつ接続されてもよい。ただし、本発明はキャパシタ１２が回路基板１１に実装されるものに限定されるものではなく、必要に応じてランプソケット１００にキャパシタ１２が実装されてもよく、ランプ７０の端部にキャパシタ１２が形成されてもよい。
【００９３】
キャパシタ１２としては、例えば、マルチレイヤセラミックコンデンサ（Ｍｕｌｔｉ−Ｌａｙｅｒ  Ｃｅｒａｍｉｃ  Ｃａｐａｃｉｔｏｒ：ＭＬＣＣ）を使用してもよい。高誘電率界セラミックを含むマルチレイヤセラミックコンデンサを電極間の誘電体として使用し、相対的に小型容量を形成してもよい。一方、小型のマルチレイヤセラミックコンデンサは大容量化も可能であるように形成してもよい。
【００９４】
以上、添付する図面を参照して本発明の実施形態について説明したが、本発明が属する技術分野における通常の知識を有する者は、本発明の技術的思想や必須の特徴を変更しない範囲で、他の具体的な形態で本発明が実施され得ることを理解する。したがって、上記実施形態はすべての面において例示的なものであり、限定的なものではないと理解されなければならない。
【図１】
2010251322.tif 000003
【図２】
2010251322.tif 000004
【図３】
2010251322.tif 000005
【図４】
2010251322.tif 000006
【図５Ａ】
2010251322.tif 000007
【図５Ｂ】
2010251322.tif 000008
【図６Ａ】
2010251322.tif 000009
【図６Ｂ】
2010251322.tif 000010
【図７】
2010251322.tif 000011
【図８】
2010251322.tif 000012
【図９Ａ】
2010251322.tif 000013
【図９Ｂ】
2010251322.tif 000014
【図１０】
2010251322.tif 000015
【図１１】
2010251322.tif 000016